(57)【要約】【課題】  エレベータの展望性を損なうことなく、また作業台を容易に設置することができ、設置に際して特別な部品を必要とせず、天井のガラス面の損傷を防止することができ、展望ガラス面の清掃作業も安全に容易に実施することができる展望用エレベータのかご室上部作業台を提供する。【解決手段】  エレベータかご室１の側面５及び天井の一部６が透明部材で形成された展望用エレベータにおいて、上記エレベータかご室１の上部でかご枠２に装着された支持体７と、上記支持体７に回転可能に軸支され、収納位置及び上記透明部材上方の作業位置で保持し得るようにされた作業床８とを備えた構成とする。【選択図】        図２
2005041650.tif 000002
【特許請求の範囲】
【請求項１】
エレベータかご室の側面及び天井の一部が透明部材で形成された展望用エレベータにおいて、上記エレベータかご室の上部でかご枠に装着された支持体と、上記支持体に回転可能に軸支され、収納位置及び上記透明部材上方の作業位置で保持し得るようにされた作業床とを備えた展望用エレベータのかご室上部作業台。
【請求項２】
上記作業床は、その先端部において折り畳み可能に連結された折り畳み作業床を有し、上記作業床と折り畳み作業床は折り畳み状態で上記収納位置に保持されることを特徴とする請求項１記載の展望用エレベータのかご室上部作業台。
【請求項３】
上記折り畳み作業床は、複数の作業床から構成され、各作業床同士はそれぞれ折り畳み可能に連結されたことを特徴とする請求項２記載の展望用エレベータのかご室上部作業台。
【請求項４】
上記作業床と折り畳み作業床との連結及び折り畳み作業床同士の連結は、回転軸によって行なうことを特徴とする請求項２または請求項３記載の展望用エレベータのかご室上部作業台。
【請求項５】
上記かご枠に手摺用の差し込み穴を設け、この差し込み穴に手摺の固定部を差し込んで上記かご枠に装着することを特徴とする請求項１〜請求項４のいずれか１項記載の展望用エレベータのかご室上部作業台。
【発明の詳細な説明】
【技術分野】
【０００１】
この発明は、展望用エレベータのかご室上部に設置される作業台に関するものである。
【背景技術】
【０００２】
従来、エレベータかご室の上部で作業を行なう場合、展望用でない通常のエレベータにおいては、かご室の天井に作業床を設置せず、作業員がかご室の天井に上がって、天井をそのまま作業床として作業を行なうことがある他、かご室の天井に固定式あるいは着脱可能な方式の作業床を設置し、その作業床を利用して作業を行なっていた。
また、展望用エレベータの場合には、かご室の側面及び天井の一部が透明部材であるガラス面とされるため、直接天井に上がることができず、また、天井部に固定式の作業床を設置した場合には、天井面からの展望性が失われるという問題点があり、着脱可能な作業床を設けた場合には、使用時に組み立て作業を行なう等、作業効率が悪いのに加え、作業床の落下によるガラス面の損傷等の問題もあるため、かご枠に設置した支持体からガラス面の上方までスライド式に伸縮できる腕を設け、この腕に作業台を着脱可能に取り付けて作業を行なうようにしていた。（例えば特許文献１参照）。
【０００３】
【特許文献１】実開昭６３−１５１４８１号公報（第１図、第２図）
【発明の開示】
【発明が解決しようとする課題】
【０００４】
従来の展望用エレベータのかご室上部作業台は以上のように構成され、作業の都度、スライド式の腕に作業台を取り付け、取り外していたため、作業が煩雑となる他、作業台の取り付け用の部品をその都度準備する必要があるという問題点があった。加えて、展望ガラス面を清掃する場合に作業性が悪いという問題点もあった。
【０００５】
この発明は、上記のような問題点を解消するためになされたもので、エレベータの展望性を損なうことなく、また、作業台を容易に設置することができ、設置に際して特別な部品を必要とせず、天井のガラス面の損傷を防止することができ、展望ガラス面の清掃作業も安全に容易に実施することができる展望用エレベータのかご室上部作業台を提供することを目的とする。
【課題を解決するための手段】
【０００６】
この発明に係る展望用エレベータのかご室上部作業台は、エレベータかご室の側面及び天井の一部が透明部材で形成された展望用エレベータにおいて、上記エレベータかご室の上部でかご枠に装着された支持体と、上記支持体に回転可能に軸支され、収納位置及び上記透明部材上方の作業位置で保持し得るようにされた作業床とを備えたものである。
【発明の効果】
【０００７】
この発明に係る展望用エレベータのかご室上部作業台は、エレベータかご室の側面及び天井の一部が透明部材で形成された展望用エレベータにおいて、上記エレベータかご室の上部でかご枠に装着された支持体と、上記支持体に回転可能に軸支され、収納位置及び上記透明部材上方の作業位置で保持し得るようにされた作業床とを備えたものであるため、展望用エレベータの展望性を損なうことなく、据付け、保守、清掃作業等に際してガラス面を損傷することなく、容易に安全に作業台の設置、収納を行なうことができる。
【発明を実施するための最良の形態】
【０００８】
実施の形態１．
以下、この発明の実施の形態１を図にもとづいて説明する。図１は、実施の形態１によるかご室上部作業台の概略構成を示す正面図、図２は、同じく側面図である。
これらの図に示すように、エレベータのかご室を構成するかご枠２は柱３と梁４とを有し、かご室１の前面５及び天井の一部６は透明部材であるガラス面で構成され、展望用エレベータを構成している。
【０００９】
かご室１の天井の一部では一対の支持体７が梁４に固定され、支持体７の上面のほぼ中央部に作業床８の一端８Ａが回転可能に軸支されている。
軸支の状態を詳細に示すために図１において破線の円Ａで示す部分の拡大図を図３に示す。即ち、支持体７の上面にほぼＵ字状に形成された突起７Ａが設けられ、作業床８の一端部には上記突起７Ａの外面側に位置するように一対の突出部８Ａが設けられ、突起７Ａと突出部８Ａを貫通する回転軸９を設けることによって作業床８を支持体７に回転可能に支持している。なお、突起７ＡはＵ字状でなく、１枚の板状突起としてもよい。
【００１０】
図４及び図５は、作業床８の収納状態と作業台としての使用状態を示すもので、図４は、収納状態を示し、図５は、作業台としての使用状態を示す。即ち、エレベータが通常の運行状態にあり、作業床８を使用しない場合には、作業床８を図２の状態から反時計方向に回動して図４に示すように、かご室１のガラス天井部６に対して反対側へ倒した状態で支持体７により保持し、この位置を収納位置とする。また、展望ガラス面の清掃作業等で作業床８を作業台として使用する場合には、作業床８を図４の状態から時計方向に180度回動して図５に示すように、かご室１のガラス天井部６を覆う形で支持体７上に保持し、作業者が作業床８上に上がって清掃作業等を行なう。なお、図２及び図５に示す１５は支持体７に設けられた手摺で詳細については後述する。
【００１１】
実施の形態２．
次に、この発明の実施の形態２を図にもとづいて説明する。図６は、実施の形態２によるかご室上部作業台の概略構成を示す側面図である。
この図において、図１、図２と同一または相当部分にはそれぞれ同一符号を付して説明を省略する。図１、図２と異なる点は、作業床８に折り畳み作業床１１を連結し、収納時は折り畳んで収納し、作業時には作業床８と折り畳み作業床１１とを平面状に伸ばして使用する点である。
作業床８と折り畳み作業床１１とはそれぞれ同様な構成とされ、作業床８の先端部において両者が回転軸１２によって連結され、折り畳めるようにされている。
【００１２】
図７及び図８は、作業床８と折り畳み作業床１１の収納状態と両作業床を平面状に伸ばして作業台として使用する状態を示すもので、図７は収納状態を示し、図８は作業台としての使用状態を示す。即ち、作業台として使用しない場合には、図６に示すように、折り畳み作業床１１を連結用の回転軸１２を中心として図６において時計方向に回動し、作業床８と折り畳み作業床１１とを重ねた状態で、全体を回転軸９を中心として図６において反時計方向に回動し、図７に示すように、かご室１のガラス天井部６に対して反対側へ倒した状態で支持体７により保持し、この位置を収納位置とする。
【００１３】
また、展望ガラス面の清掃作業等で作業台として使用する場合には、図７の状態から作業床８と折り畳み作業床１１とを重ねた状態で時計方向に少し回動させ、この状態で折り畳み作業床１１を回転軸１２を中心として図７において反時計方向に回動させ、作業床８と折り畳み作業床１１とを平面状態にして両作業床８、１１を回転軸９を中心として図７において時計方向に回動させて図８に示すように、かご室１のガラス天井部６を覆う形で支持体７上に保持する。
【００１４】
なお、作業台上での展望ガラス面の清掃作業等に対し、安全と作業性を確保するため各支持体７上に図９に示すようなサイド手摺１３をそれぞれ設けると共に、各サイド手摺１３を連結する形で前方手摺１４を設け、安全な手摺１５を構成する。なお、サイド手摺１３は、図９に示すように、支持体７に差し込み穴１６を設け、この差し込み穴１６にサイド手摺１３の下端の固定部１３Ａを図９に矢印で示すように、上方から差し込んで装着し、前方手摺１４は、その下端の固定部１４Ａをサイド手摺１３の適宜の位置に設けた挿入部１３Ｂに上方から挿入することによって両側のサイド手摺１３を連結している。
【００１５】
図１０は、以上のように構成された作業台に作業者１６が上がって、例えば展望ガラス１７の清掃作業を行なう状況を示した説明図である。
このような構成とすることにより、作業台は折り畳まれた状態で収納され、使用時には作業床８と折り畳み作業床１１とが加わった面積となるため、収納スペースは小さく、作業床スペースは大きい作業台を実現することができる。
なお、上記の説明では作業床１枚と、折り畳み作業床１枚とを連結した構成としたが、折り畳み作業床１１を複数枚とし、各折り畳み作業床同士を同様な折り畳み可能の連結構造とすることもできる。
このような構成とすれば、収納スペースを小さくし、作業床スペースは更に大きい作業台を得ることができる。
【図面の簡単な説明】
【００１６】
【図１】この発明の実施の形態１による展望用エレベータのかご室上部作業台の概略構成を示す正面図である。
【図２】この発明の実施の形態１による展望用エレベータのかご室上部作業台の概略構成を示す側面図である。
【図３】図１において破線の円Ａで示す部分の拡大図である。
【図４】この発明の実施の形態１における作業床の収納状態を示す概略図である。
【図５】この発明の実施の形態１における作業床の作業台としての使用状態を示す概略図である。
【図６】この発明の実施の形態２による展望用エレベータのかご室上部作業台の概略構成を示す側面図である。
【図７】この発明の実施の形態２における作業床と折り畳み作業床の収納状態を示す概略図である。
【図８】この発明の実施の形態２における作業床と折り畳み作業床の作業台としての使用状態を示す概略図である。
【図９】この発明の実施の形態１及び２に設置する手摺の構成を示す概略図である。
【図１０】この発明の実施の形態２による作業台により展望ガラスの清掃作業を行なう状況を示した説明図である。
【符号の説明】
【００１７】
１  かご室、      ２  かご枠、      ３  柱、      ４  梁、      ７  支持体、      ７Ａ  突起、      ８  作業床、      ８Ａ  突出部、      ９  回転軸、      １１  折り畳み作業床、      １２  回転軸、      １３  サイド手摺、      １３Ａ  固定部、      １３Ｂ  挿入部、      １４  前方手摺、      １４Ａ  固定部、      １５  手摺、      １６  作業者、      １７  展望ガラス。
【図１】
2005041650.tif 000003
【図２】
2005041650.tif 000004
【図３】
2005041650.tif 000005
【図４】
2005041650.tif 000006
【図５】
2005041650.tif 000007
【図６】
2005041650.tif 000008
【図７】
2005041650.tif 000009
【図８】
2005041650.tif 000010
【図９】
2005041650.tif 000011
【図１０】
2005041650.tif 000012